(57)【要約】【課題】  ２画面表示装置は、各画面の音声が互いに干渉するため、どちらか一方の画面に対応した音声しか出力できず、他方の画面の視聴者の利便性が悪い問題があった。【解決手段】  本発明の２画面表示装置は、互いに異なる複数の映像をそれぞれ複数の画面Ｂ，Ａに同時に出画することができる２画面表示装置であって、前記複数の画面Ｂ，Ａのいずれか一つを正常視聴できる角度において出力する音声が互いに干渉しないレベルの指向性を有し、前記複数の映像にそれぞれ対応した複数の音声信号を同時に出力できる複数の高指向性スピーカを設けている。【選択図】  図３
2005101979.tif 000002
【特許請求の範囲】
【請求項１】
１つの表示部に対し少なくとも２つの映像データを少なくとも一方向および他方向からの画面としてそれぞれ同時に表示する表示手段と、前記表示部に対応する視角に応じて前記一方向からの画面あるいは前記他方向からの画面のみを可視できる画面表示制御手段とを有する映像表示部と、
前記複数の映像データにそれぞれ対応した複数の音声信号が、前記複数の画面を可視できる角度において互いに干渉しないレベルの高い指向性をもって同時に出力される音声出力部と、を具備することを特徴とする多画面表示装置。
【請求項２】
前記音声出力部は、前記複数の音声信号が入力されるアンプと該アンプに対応する複数のスピーカとを有することを特徴とする請求項１に記載の多画面表示装置。
【請求項３】
視聴者の近傍に前記音声出力部の少なくとも一部を配置することを特徴とする請求項１に記載の多画面表示装置。
【請求項４】
前記音声出力部は、前記複数の音声信号が入力されるアンプと該アンプに接続し、音声信号を外部に出力する外部出力端子とを有することを特徴とする請求項１に記載の多画面表示装置。
【請求項５】
１つの表示部に対し少なくとも２つの映像データを少なくとも一方向および他方向からの画面としてそれぞれ同時に表示する表示手段と、前記表示部に対応する視角に応じて前記一方向からの画面あるいは前記他方向からの画面のみを可視できる画面表示制御手段とを有する映像表示部と、
前記複数の映像データにそれぞれ対応した複数の音声信号が入力される複数のアンプと、前記複数の音声信号を外部に出力するための複数の外部出力端子を少なくとも有し、それぞれの前記映像データに対応した前記音声信号が同時に出力される音声出力部と、を具備することを特徴とする多画面表示装置。
【請求項６】
前記一方向からの画面および前記他方向からの画面はそれぞれ前記表示部一面に表示されることを特徴とする請求項１または請求項５に記載の多画面表示装置。
【請求項７】
前記音声出力部は音声切替手段を有し、該音声切替手段は、前記映像表示部に１つの映像データを表示するときは該映像データに対応する１つの前記音声信号を出力し、前記映像表示部に複数の前記映像データを同時に表示するときは前記複数の映像データに個々に対応した前記音声信号を出力することを特徴とする請求項１または請求項５に記載の多画面表示装置。
【請求項８】
１つの表示部に対し少なくとも２つの映像データを少なくとも一方向および他方向からの画面としてそれぞれ同時に表示する表示手段と、前記表示部に対応する視角に応じて前記一方向からの画面あるいは前記他方向からの画面のみを可視できる画面表示制御手段とを有する映像表示部と、
ＤＶＤ再生部と、
前記複数の映像データにそれぞれ対応した複数の音声信号が入力される複数のアンプを少なくとも有し、それぞれの前記映像データに対応した前記音声信号が同時に出力される音声出力部と、を具備することを特徴とするＤＶＤ再生装置。
【請求項９】
前記一方向からの画面および前記他方向からの画面はそれぞれ前記表示部一面に表示されることを特徴とする請求項８に記載のＤＶＤ再生装置。
【請求項１０】
前記音声出力部は音声切替手段を有し、該音声切替手段は、前記映像表示部に１つの映像データを表示するときは該映像データに対応する１つの前記音声信号を出力し、前記映像表示部に複数の前記映像データを同時に表示するときは前記複数の映像データに個々に対応した前記音声信号を出力することを特徴とする請求項８に記載のＤＶＤ再生装置。
【発明の詳細な説明】
【技術分野】
【０００１】
本発明は複数の画面を同時に表示する多画面表示部に係り、特に個々の画面に対応した音声も同時に視聴できる多画面表示部に関する。
【背景技術】
【０００２】
従来、第１及び第２の画面を同時に映像表示する２画面表示装置では、第１及び第２の画面にそれぞれ対応する音声信号を、音声出力部を切換えて出力するようになっている。
【０００３】
例えば、図１１の如く、従来の２画面テレビ受像機６０では、異なる２つの番組の映像表示することができるが、異なる番組の音声が干渉すると聞き苦しくなるため、出力できる音声は第１の画面６２ａ及び第２の画面６２ｂにそれぞれ対応する第１及び第２の音声信号のうち１つの音声のみであり、第１のスピーカ６３ａ及び第２のスピーカ６３ｂを切り替え、一方の音声のみを出力している。このことは、２画面よりも多くの画面を表示できる多画面テレビ受像機等でも同様であった（例えば特許文献１、特許文献２、特許文献３参照。）。
【特許文献１】特開平６−３８１３０号公報
【特許文献２】特開平７−５９０２５号公報
【特許文献３】特開平７−２９８１６２号公報
【発明の開示】
【発明が解決しようとする課題】
【０００４】
上記した従来の２画面受像機及び多画面表示部では、異なる番組の音声が干渉すると聞き苦しくなるため、出力できる音声は複数の画面にそれぞれ対応する複数の音声信号の内１つの音声のみであり、映像と音声の両方を視聴できるのは、１つの画面に表示された番組のみで、残りの画面に表示された番組は映像のみしか視聴できず、複数の視聴者が別の番組を視聴する場合不便だった。
【０００５】
本発明は前記の問題点を除去し、視聴者が視聴する位置での複数の音声の干渉を軽減することができる多画面表示部の提供を目的とする。
【課題を解決するための手段】
【０００６】
本発明は上記課題に鑑みてなされ、第１に１つの表示部に対し少なくとも２つの映像データを少なくとも一方向および他方向からの画面としてそれぞれ同時に表示する表示手段と、前記表示部に対応する視角に応じて前記一方向からの画面あるいは前記他方向からの画面のみを可視できる画面表示制御手段とを有する映像表示部と、前記複数の映像データにそれぞれ対応した複数の音声信号が、前記複数の画面を可視できる角度において互いに干渉しないレベルの高い指向性をもって同時に出力される音声出力部と、を具備することにより解決するものである。
【０００７】
従って、１つの多画面表示装置で複数の映像および音声を視聴することができる。
【０００８】
また、前記音声出力部は、前記複数の音声信号が入力されるアンプと該アンプに対応する複数のスピーカとを有することを特徴とするものである。
【０００９】
従って、画面数に対応した音声を出力することができる。
【００１０】
また、視聴者の近傍に前記音声出力部の少なくとも一部を配置することを特徴とするものである。
【００１１】
従って、１つの画面に対応する音声を聴く場合に他の画面に対応する音声の干渉をより抑えることができる。
【００１２】
また、前記音声出力部は、前記複数の音声信号が入力されるアンプと該アンプに接続し、音声信号を外部に出力する外部出力端子とを有することを特徴とするものである。
【００１３】
従って、イヤホン等を接続してそれぞれの画面を視聴することができる。
【００１４】
第２に、１つの表示部に対し少なくとも２つの映像データを少なくとも一方向および他方向からの画面としてそれぞれ同時に表示する表示手段と、前記表示部に対応する視角に応じて前記一方向からの画面あるいは前記他方向からの画面のみを可視できる画面表示制御手段とを有する映像表示部と、前記複数の映像データにそれぞれ対応した複数の音声信号が入力される複数のアンプと、前記複数の音声信号を外部に出力するための複数の外部出力端子を少なくとも有し、それぞれの前記映像データに対応した前記音声信号が同時に出力される音声出力部と、を具備することにより解決するものである。
【００１５】
従って、視聴者が近接している場合でもイヤホン等により異なる複数の画面を視聴することができる。
【００１６】
また、前記一方向からの画面および前記他方向からの画面はそれぞれ前記表示部一面に表示されることを特徴とするものである。
【００１７】
従って、多画面表示装置であっても１つの画面を視聴する視聴者にとっては画面全面に表示された映像を視聴することができる。
【００１８】
また、前記音声出力部は音声切替手段を有し、該音声切替手段は、前記映像表示部に１つの映像データを表示するときは該映像データに対応する１つの前記音声信号を出力し、前記映像表示部に複数の前記映像データを同時に表示するときは前記複数の映像データに個々に対応した前記音声信号を出力することを特徴とするものである。
【００１９】
従って、１画面モードと２画面モードを切替え、画面に対応した映像および音声を視聴することができる。
【００２０】
第３に、１つの表示部に対し少なくとも２つの映像データを少なくとも一方向および他方向からの画面としてそれぞれ同時に表示する表示手段と、前記表示部に対応する視角に応じて前記一方向からの画面あるいは前記他方向からの画面のみを可視できる画面表示制御手段とを有する映像表示部と、ＤＶＤ再生部と、前記複数の映像データにそれぞれ対応した複数の音声信号が入力される複数のアンプを少なくとも有し、それぞれの前記映像データに対応した前記音声信号が同時に出力される音声出力部と、を具備することにより解決するものである。
【００２１】
従って、１つのＤＶＤ装置で複数のＤＶＤデータを再生することができる。
【００２２】
また、前記一方向からの画面および前記他方向からの画面はそれぞれ前記表示部一面に表示されることを特徴とするものである。
【００２３】
従って、多画面表示のＤＶＤ装置であっても１つの画面を視聴する視聴者にとっては画面全面に表示された映像を視聴することができる。
【００２４】
また、前記音声出力部は音声切替手段を有し、該音声切替手段は、前記映像表示部に１つの映像データを表示するときは該映像データに対応する１つの前記音声信号を出力し、前記映像表示部に複数の前記映像データを同時に表示するときは前記複数の映像データに個々に対応した前記音声信号を出力することを特徴とするものである。
【００２５】
従って、１画面モードと２画面モードを切替え、画面に対応した映像および音声を視聴することができる。
【発明の効果】
【００２６】
本発明によれば、２画面表示ディスプレイで、それぞれの画面に対応した音声を同時に出力しても両者の音声の干渉を軽減できる。２画面ディスプレイは、１つの表示部全面に異なる２つの映像を表示できるので、視聴者は各画面に対応した角度で視聴することにより、画面全体に出力される映像と音声をそれぞれ視聴することができる。
【００２７】
これにより、音声付きの２画面を同時に視聴することが可能となり、２画面ディスプレイの利便性が飛躍的に向上する。
【発明を実施するための最良の形態】
【００２８】
以下、発明の実施の形態を図面を参照して説明する。
【００２９】
まず、図１から図４を参照して本発明の第１の実施形態の多画面表示装置を、２画面表示が可能なテレビ受像機を例に説明する。
【００３０】
図１は、多画面表示装置１の概略を説明するブロック図の一例である。本発明の多画面表示装置１は、映像表示部２と、音声出力部３と、制御部９とから構成される。
【００３１】
映像表示部２は、１つの表示部に対して複数（ここでは２つ）の映像データを同時に表示することができる。また、このとき複数の映像データはそれぞれ表示部一面（全面）に表示される。音声出力部３は、複数の映像データにそれぞれ対応した音声を出力する。
【００３２】
また、制御部９には映像・音声の電気信号を視聴可能なデータに変換する映像処理部１０および音声処理部１１を有する。制御部９は、例えばテレビ受像機であればチャンネル切り替え用スイッチや、チューナーなどテレビ受像機として既知の必要構成要素またはそれに付随する回路等が含まれるとする。
【００３３】
図の２画面表示が可能なテレビ受像機（以下、２画面テレビと称する）は、放送信号として無線周波数信号（ＲＦ）信号を用い、２画面に異なる２つの番組をそれぞれ表示（放送）できるとする。すなわち入力の映像・音声信号８はＲＦ信号であり、アンテナで受信された後、画面ａ用の番組の音声・映像信号と、画面ｂ用の番組の音声・映像信号とに分配される。各番組の音声・映像信号は、映像処理部１０でさらに画面ａ用映像信号および画面ｂ用映像信号が抽出され、映像表示部２の表示手段１３により後述する２画面表示用の加工が施される。
【００３４】
また各音声信号は、音声処理部１１で画面ａ用音声信号および画面ｂ用音声信号が抽出され、さらに画面ａ用の右および左の音声信号と、画面ｂ用の右および左の音声信号とに分けられ音声出力部３に導かれる。
【００３５】
音声出力部３は、音声信号を増幅するアンプ４および音声切替手段５、スピーカ７、外部出力端子６を有する。画面ａ用の左右の音声信号および画面ｂ用の左右の音声信号はそれぞれアンプ４によって増幅され、スピーカ７または外部出力端子６から出力される。尚、ここでは画面ａ、画面ｂに対応する音声信号はステレオ音声信号とするので、画面ａについて右のアンプ４ＡＲ、右のスピーカ７ＡＲ、左のアンプ４ＡＬ、左のスピーカ７ＡＬを示す。また画面ｂについて、右のアンプ４ＢＲ、右のスピーカ７ＢＲ、左のアンプ４ＢＬ、左のスピーカ７ＢＬを示す。
【００３６】
しかし、扱う音声信号がモノラル音声信号の場合は、各画面ａ、ｂに対してそれぞれ１つのアンプ４Ａ、４Ｂ、１つのスピーカ７Ａ、７Ｂでよい。また、外部出力端子６は、ステレオ信号あるいはモノラル信号に応じたものとし、画面数（ここでは２画面）に対応して２端子設ける。
【００３７】
図２には、２画面テレビの映像表示部２を示す。図２（Ａ）は、映像表示部２と、それを視聴するＡ、Ｂ２名の視聴者の位置関係を示す上面図であり、図２（Ｂ）は表示手段１３の概念図である。
【００３８】
映像表示部２は、表示手段１３と、画面表示制御手段１４とから構成される。映像表示部２は１つおよび２つの映像データが表示さる液晶ディスプレイまたはＣＲＴディスプレイ等である。また表示する映像を１つにするか２つにするかはスイッチにより切り替えることができ、本明細書ではそれぞれの状態を１画面モード、２画面モードと称する。
【００３９】
１画面モードにおいては、現在一般的に普及しているテレビと同様であり、１つの表示部２に１つの映像データが表示され、当然ながらどのような角度から視聴しても１つの映像と対応した音声が出力されるものである。
【００４０】
２画面モードにおいては、１つの表示部２に対し２つの映像データが表示される。このとき、画面を２分割にしてそれぞれに映像データを表示するのではなく、表示手段１３により加工した２画面分の映像データを表示部２一面（全面）に表示する。視聴者は加工された映像データを画面表示制御手段１４を介して観賞し、その観賞する角度、すなわち表示部２に対応する視聴者の視角に応じて、２つの映像データのうちいずれか一方のみを可視できる。またこのとき、音声出力部からはそれぞれの映像に対応した音声が同時に出力される。
【００４１】
表示手段１３は、２つの画面を一方向および他方向からの画面としてそれぞれ同時に表示するよう加工する手段およびそのデータである。すなわち、画面ａ、画面ｂで同時に表示させる２つの映像データに対して、例えば図２（Ｂ）の如く縦方向に所定の等間隔で細分化し交互に配置する加工を施し、その映像データ１３を１画面として表示部に表示する。
【００４２】
画面表示制御手段１４は、１つの表示部２においてＡ者の視角に対応する一方向からは画面ａのみが可視でき、Ｂ者の視角に対応する他方向からは画面ｂのみが可視できるように制御する手段である。これば例えば、等間隔で細分化された映像データ１３の前面に設けられ所定の間隔を持つスリットおよびその制御手段である。この画面表示制御手段１４により１つの表示部２に同時に２つの画面を表示でき、また１画面モードと２画面モードを切り替えることができる。
【００４３】
視聴者は特定の範囲の角度（視角）でスリット１４を介して表示部２を観賞し、Ａ者はスリット１４により画面ａの映像データのみを可視でき、Ｂ者はスリット１４により画面ｂの映像データのみを可視できる。つまりＡ者、Ｂ者にとっては画面ａ、ｂは分割されることなく、表示部２一面に表示されることになる。
【００４４】
次に図３を参照して音声出力部３について説明する。図３は図２（Ａ）と同様のテレビとＡ、Ｂ２名の視聴者の位置関係を示す上面図である。
【００４５】
音声出力部３は、音声信号を増幅するアンプ４と、スピーカ７と、音声切替手段５とを少なくとも有する。アンプ４は、図１の如く音声信号を増幅するものであり、スピーカと対応して設けられるので、ここでの図示は省略する。
【００４６】
音声切替手段５（図１参照）は、１画面モードの場合には当該画面に対応した音声信号をＡ者、Ｂ者に共通で出力し、２画面モードの場合には各画面ａ、ｂに対応する音声信号を、スピーカから出力するよう、音声出力の制御を行う。
【００４７】
スピーカ７は、Ａ側、Ｂ側にすくなくとも１つ、好適には２つ以上配置する。前述の如くモノラル音声信号の場合は、画面ａ、画面ｂにそれぞれ１つずつでよいが、ステレオ音声信号の場合は各画面に対応して左用および右用の少なくとも２つのスピーカが必要である。
【００４８】
Ａ側のスピーカ７ＡＲ、７ＡＬは、Ａ者が画面ａを正常に観賞できる角度において、当該スピーカ７ＡＲ、７ＡＬから出力する音声がＢ側のスピーカ７ＢＲ、７ＢＬから出力する音声と干渉しないレベルの高い指向性を有する。
【００４９】
また、Ｂ側スピーカ７ＢＲ、７ＢＬは、Ｂ者が画面ｂを正常に観賞できる角度において、当該スピーカ７ＢＲ、７ＢＬから出力する音声がＡ側のスピーカ７ＡＲ、７ＢＲから出力する音声と干渉しないレベルの高い指向性を有する。
【００５０】
このように、本実施形態では、画面ａ、ｂを正常に観ることができる視角において、互いに干渉しないレベルの高い指向性を有するスピーカ（以下高指向性スピーカ７と称する）を有しており、これにより画面ａおよび画面ｂの音声を同時に出力してもこれらが互いに干渉することが無く、テレビを視聴することができる。
【００５１】
ここで、高指向性スピーカ７とは、一方向に高い指向性を有するものであればどのようなものであってもよい。例えば高指向性で知られる平面スピーカやパラメトリクススピーカ、ラウドスピーカなどである。またスピーカにホーンを取り付けて指向性を鋭くしたもの、正位相と逆位相を組み合わせて指向性を高めたスピーカ、内部回路的な工夫により指向性を高めたスピーカなどが考えられる。
【００５２】
高指向性スピーカ７は図３においては映像表示部２と同一筐体内にあるが、外部に設けてもよい。同一筐体内であれば、所定の間隔を開けて並べられる。また、本実施形態では上述の如く視聴者Ａ、Ｂが画面を正常に観ることができる所定の範囲の領域がある。そこで高指向性スピーカ７も、その指向性をより高めるために、視聴者Ａ、Ｂに対向するよう画面の中心ｃに対して外側に広げて配置するとよい。
【００５３】
図３（Ａ）において破線は、同一筐体内に設けた場合のそれぞれのスピーカ７の音波放射領域を示す。このように高指向性のスピーカ７をそれぞれの画面に対応した向きに設けることにより、この視聴者Ａ、Ｂが視聴する位置では画面ａ用高指向性スピーカと、画面ｂ用高指向性スピーカからの音声が干渉しないので、視聴者Ａ、Ｂはそれぞれの画面ａ、ｂの番組に対応した音声を隣の画面の番組の音声が干渉することなく正常に聞くことができる。
【００５４】
尚、ハッチングの部分は、ステレオ音声信号の場合に１方の画面に対応する左右２つの高指向性スピーカ７の音波放射領域が重なる領域であり、Ａ者が画面ａを、Ｂ者が画面ｂを正常視聴できる角度がこの領域の中央付近に来ることが最も望ましい。
【００５５】
また、図３（Ｂ）のごとく高指向性スピーカ７に加えて、指向性のそれほど高くない、一般的に採用されるスピーカ（以下通常スピーカ１６と称する）を設けてもよい。これは、２画面モードから１画面モードに切り替えた場合、すなわちＡ、Ｂ両者で同一の番組を視聴するような場合は、音声の干渉を考慮する必要がないため音声出力部３からは共通音声が出力されればよく、そのためのスピーカである。通常スピーカ１６を設ける場合は、音声切替手段５において、１画面モードの共通の音声信号を通常スピーカ１６から出力するように制御する。
【００５６】
尚、視聴者にとって画面に対応した音声信号が正常に視聴できれば問題はなく、１画面モードの場合には両方に同じ音声信号を出力すればよいので、高指向性スピーカ７のみでもよい。しかし、多人数で１画面を視聴する場合等を考慮すると、通常スピーカ１６を設ける方がよい。
【００５７】
また、音声出力部３に対応した音声の反射板２１があってもよい。例えば図４の如く、視聴者の背後でできれば視聴者を囲むように各高指向性スピーカに対向配置する反射板を設けると、両者の音声の干渉をより低減できる。
【００５８】
ここで、さらに高い指向性を望む場合は、音声出力部３の一部を映像表示部２と同一筐体内ではなく外付けとし、且つそれらをなるべく視聴者の近傍に配置するとよい。
【００５９】
図５は、上記の高指向性スピーカ７を外付けにした一例を示す。
【００６０】
外付けで有れば配置の汎用性が高くなるので、各視聴者（の耳）に対してより高い指向性を有するように配置する。例えば、図のごとく各視聴者の近傍となる椅子（ソファー、座席、シート）３０に配置するとよい。
【００６１】
具体的には、椅子３０の肘掛け部分３０ａ、背もたれ上部３０ｂ、あるいはヘッドレスト部分３０ｃ等である。例えばヘッドレストを頭部を後方から包むように耳の部分まで覆う形状とし、耳に実質対向する位置にスピーカ７を配置するとさらに好適である。
【００６２】
また、椅子等に配置せず例えばスピーカ７を視聴者の前方（足下付近）に配置する場合は、図３（Ａ）の如き音波放射領域が形成されるように配置するとよい。
【００６３】
さらに、音声出力部３に通常スピーカ１６を有する場合には、通常スピーカ１６も高指向性スピーカ７と同様に外部に配置してもよい。しかし、通常スピーカ１６に切り替えるのは１画面モードの場合であるので、通常スピーカ１６のみ映像表示部２と同一筐体にあってもよい。椅子３０等にスピーカを設ける場合、外部のスピーカは高指向性スピーカ７のみであれば省スペースが実現する。
【００６４】
尚、図６に示したように、音声出力部３には、スピーカ７の他に、アンプ４に接続し音声信号を外部に出力する外部出力端子６Ａ、６Ｂを設けるとよい。外部出力端子６には、イヤホン１８（またはヘッドホン等、以下同様）が接続され、画面ａ、画面ｂに対応する音声がＡ者、Ｂ者に出力される。外部出力端子６は、画面数に対応して（本実施形態で有れば２端子）設けられ、アンプ４から出力された音声信号は、音声切替手段５によってイヤホンの接続の有無が判断され、接続されている場合はスピーカ７からイヤホンへの出力に切り替えられる。
【００６５】
図７は、外部出力端子６の接続の有無により出力先を切り替える処理の一例を示すフロー図である。
【００６６】
まず、Ａ側のイヤホンが接続されているかを判断し（ステップＳ１０１）、接続されていたらａ画像のスピーカを切断して（ステップＳ１０２）、ａ画像のイヤホンをオンし、イヤホンにａ画像の音声を出力する（ステップＳ１０３）。
【００６７】
また、Ｂ側のイヤホンが接続されているかを判断し（ステップＳ１０４）、接続されていたらｂ画像のスピーカを切断して（ステップＳ１０５）、ｂ画像のイヤホンをオンし、イヤホンにｂ画像の音声を出力する（ステップＳ１０６）。
【００６８】
これらは一例であり、例えば右側と左側を連続した処理ではなく個別に処理するようにしてもよい。
【００６９】
次に図８を参照して、本発明の第２の実施形態について説明する。第２の実施形態は、高指向性スピーカ７を使用せず、外部出力端子６（６Ａ、６Ｂ）にイヤホンまたはヘッドホン１８等を接続して音声を出力するものであり、第１の実施形態と同様に２画面テレビを例に説明する。
【００７０】
たとえば飛行機の機内用の２画面テレビなど、画面サイズが比較的小さく、視聴者の距離が近接している場合には、音声が干渉する可能性が高くなるので、イヤホン１８での視聴が一般的と考えられる。特に２画面モードの場合にイヤホン１８で視聴することを前提にすれば、高指向性スピーカ７を設ける必要はなく、省スペース化が図れる。
【００７１】
映像表示部２については、第１の実施形態と同様であるので説明は省略する。また、本実施形態の回路概要図は図１とほぼ同様であるので図１を参照する。
【００７２】
音声出力部３は、複数のアンプ４と、外部出力端子６と、音声切替手段５とを有する。アンプ４は第１の実施形態と同様であり、モノラル音声信号を扱うので有れば各画面毎に１つ、ステレオ音声信号を扱うので有れば各画面毎に少なくとも左右２つ設ける。
【００７３】
外部出力端子６は各アンプ４に接続し、画面数に対応して複数設けられる。本実施形態の如く映像表示部が２画面表示で有れば、画面ａ、画面ｂ用の２端子である。また、モノラル音声信号用かステレオ信号用かに応じて、対応する外部出力端子を設ける。
【００７４】
図８のごとく、Ａ者はＡ側外部出力端子６Ａにイヤホン１８を接続し、出力される画面ａおよび画面ａに対応した音声を視聴する。Ｂ者はＢ側外部出力端子６Ｂにイヤホン１８を接続し、出力される画面ｂおよび画面ｂに対応した音声を視聴する。
【００７５】
１画面モードの場合には、すべての外部出力端子６に当該１つの映像に対応した音声信号が出力されるよう、音声切替手段５により制御する。
【００７６】
また、音声出力部３に通常スピーカ１６を設けてもよい。１画面モードであれば音声の干渉を考慮しなくてよいので、イヤホン１８を使用せずに通常スピーカ１６から音声信号を出力することとする。この場合音声切替手段５で通常スピーカ１６と外部出力端子６との切替を制御する。
【００７７】
図９は、音声切替手段５の処理フローの一例を示す。まず、１画面モードであるかを判断し（ステップＳ２０１）、１画面モードの場合はＡ側のイヤホンの状態を判断する（ステップＳ２０２）。Ａ側のイヤホンが切断されている場合、Ｂ側のイヤホンの状態を判断する（ステップＳ２０３）。１画面モードで且つ両側のイヤホンが切断されている場合、通常スピーカをオンとする（ステップＳ２０４）。
【００７８】
なおこのフローは一例であり、Ａ側あるいはＢ側のいずれか一方のイヤホンが切断されていたら通常スピーカをオンするような処理でもよい。
【００７９】
以上、第１および第２の実施形態では２画面表示テレビを例に説明したが、これに限らず、映画やビデオ等を上映、再生する２画面表示装置であっても同様に実施できる。その場合例えば図１の回路概要図で、入力される映像信号および音声信号はアンテナで受信されたＲＦ信号ではなく、所定の記憶装置等で再生される信号となる。また制御部は、それぞれの装置に既知の構成要素およびそれらに付随する回路となる。しかし、映像表示部２および音声出力部３については本実施形態を適用でき、同等の効果が得られる。また、２画面以上の表示装置であってもよい。
【００８０】
また、ゲーム機に適用してもよく、カードゲームなど対戦者の画面を見ないでプレイするゲームにおいて、プレイヤー毎の画面や音声を出力することができる。
【００８１】
図１０には、第３の実施形態として、２画面表示のＤＶＤ再生装置５０を説明する。
【００８２】
ＤＶＤ再生装置５０は、映像表示部３２と、ＤＶＤ再生部４５と、音声出力部３３とから構成される。映像表示部３２は、第１、第２の実施形態と同様であるので説明は省略する。
【００８３】
ＤＶＤ再生部４５は、１つあるいは２つのＤＶＤの同時再生が可能である。例えば２つのＤＶＤ（ＤＶＤ１、ＤＶＤ２）を再生するときには画面にＤＶＤ１、ＤＶＤ２のソフトウェアが表示され、それぞれの音声が出力される。
【００８４】
また、記憶装置付きのものであれば、記憶装置に保存したＤＶＤデータの再生も可能である。例えばＡ側でＤＶＤを再生し、Ｂ側で保存データを再生する。また、共に保存データの再生であってもよい。
【００８５】
本実施形態のＤＶＤ再生装置５０は、切替スイッチを有し、例えばＤＶＤ１とＤＶＤ２を入れ替えることなく、各画面に表示させるＤＶＤを切り替えて視聴することもできる。さらに、一時記憶装置等にデータを一時的に保持することにより、それらの保持したデータへの切替も可能となる。また、２画面モードから１画面モードへの切替も可能であり、その場合は共通音声が出力される。
【００８６】
音声出力部３３は、付図示の音声切替手段、アンプ（図１参照）および外部出力端子３６を有する。アンプおよび外部出力端子３６については第１および第２の実施形態と同様であるので説明は省略する。外部出力端子３６にイヤホン１８を接続し、それぞれの画面に対応した音声を出力する。
【００８７】
音声切替手段は、１画面モードと２画面モードの切替等を行う。さらに、画面ａと画面ｂまたは記憶装置に格納したＤＶＤデータ間で視聴するＤＶＤを瞬時に切り替える時の音声信号の切替を行う。
【００８８】
また、音声出力部３３に高指向性スピーカ（図６符号７参照）を有してもよい。この場合の高指向性スピーカは第１の実施形態と同様であり、音声切替手段は、図７のフローの如く、外部出力端子３６の接続の有無により、音声信号の出力先を高指向性スピーカと外部出力端子３６とで切り替える。
【００８９】
さらに通常スピーカ（図６符号１６参照）を設けてもよい。通常スピーカがあれば、特に１画面モードを多人数で視聴する場合等に利便性がよい。この場合音声切替手段は図９のフローの如く、１画面モードで外部出力端子３６に接続がない場合は、通常スピーカから音声信号を出力する制御を行う。
【００９０】
また、第２の実施形態と同様に、高指向性スピーカを設けず、２画面モードの場合は外部出力端子の使用に限定し、１画面モードの場合は通常スピーカから出力するとしてもよい。
【００９１】
さらに、外部出力端子３６を設けずに、高指向性スピーカのみからの音声出力または高指向性スピーカと通常スピーカから音声を出力する構成としてもよい。
【図面の簡単な説明】
【００９２】
【図１】本発明の多画面表示装置を説明するブロック図である。
【図２】本発明の多画面表示装置の映像表示部を説明する（Ａ）上面図、（Ｂ）概念図である。
【図３】本発明の多画面表示装置の音声出力部を説明する上面図である。
【図４】本発明の多画面表示装置の音声出力部を説明する上面図である。
【図５】本発明の多画面表示装置の音声出力部を説明する概要図である。
【図６】本発明の多画面表示装置の音声出力部を説明する上面図である。
【図７】本発明の多画面表示装置の音声出力部を説明する処理フロー図である。
【図８】本発明の多画面表示装置の音声出力部を説明する上面図である。
【図９】本発明の多画面表示装置の音声出力部を説明する処理フロー図である。
【図１０】本発明の多画面表示装置を説明する概要図である。
【図１１】従来の多画面表示装置を説明する概要図である。
【符号の説明】
【００９３】
１      多画面表示装置
２      映像表示部
３      音声出力部
４      アンプ
５      音声切替手段
６      外部出力端子
７      高指向性スピーカ
８      映像・音声信号
９      制御部
１０    映像処理部
１１    音声処理部
１３    表示手段
１４    画面表示制御手段
１６    通常スピーカ
１８    イヤホン
２１    反射板
３０    椅子
３２    映像表示部
３３    音声出力部
３６    外部出力端子
４５    ＤＶＤ再生部
５０    ＤＶＤ再生装置
ＳＬ    スリット
【図１】
2005101979.tif 000003
【図２】
2005101979.tif 000004
【図３】
2005101979.tif 000005
【図４】
2005101979.tif 000006
【図５】
2005101979.tif 000007
【図６】
2005101979.tif 000008
【図７】
2005101979.tif 000009
【図８】
2005101979.tif 000010
【図９】
2005101979.tif 000011
【図１０】
2005101979.tif 000012
【図１１】
2005101979.tif 000013